(57)【要約】【課題】  本発明は魚釣用リールの給電コードに関し、リール全体の大型，重量化を防止しつつ、外部から送信される釣り情報を釣人にタイムリーに提供可能とした魚釣用リールの給電コードを提供することを目的とする。【解決手段】  リール本体の給電接続部に接続され、リール本体に装着した駆動部に給電する魚釣用リールの給電コードであって、外部から送信された釣り情報を受信してリール本体側に伝送する受信伝送部を一体的に設けたことを特徴とする。【選択図】    図２
2005304375.tif 000002
【特許請求の範囲】
【請求項１】
リール本体の給電接続部に接続され、リール本体に装着した駆動部に給電する魚釣用リールの給電コードであって、外部から送信された釣り情報を受信してリール本体側に伝送する受信伝送部を一体的に設けたことを特徴とする魚釣用リールの給電コード。
【発明の詳細な説明】
【技術分野】
【０００１】
本発明は、魚釣用リールに接続する給電コードに関する。
【背景技術】
【０００２】
近年、船釣り等に使用される魚釣用リールには、釣果の向上を図る目的から、回転数検出手段で検出したスプール等の回転数を基に釣糸の繰出し量（糸長）を計測する糸長計測装置が備えられており、釣人はこの糸長計測装置の計測値を基に、所定の棚位置に仕掛けを繰り出すことができるようになっている。
そして、昨今、釣船には魚釣りに関する情報を収集可能な魚群探知機（以下、「魚探」という）やＧＰＳ等の情報収集手段が艤装されており、船頭はこれらの情報収集手段で得られた釣り情報を釣人に口頭で提供し、釣人は船頭から提供される魚層に適合した棚位置等を魚釣用リールに設定して、実釣時の釣糸の繰出し操作のなかで仕掛けを棚位置で自動的に停止させたり、棚停止と共にアラーム等の報知手段を報知させている。
【０００３】
しかし、棚位置等の釣り情報は、魚の群れの移動や海底の起伏状態等によって刻々と変化し、この釣り情報の変化を釣人が迅速に把握することが釣果の向上を図る上でも重要である。
そこで、釣り情報とその変化を釣人にタイムリーに提供すべく、特許文献１には、釣船側の無線送受信部から送信された魚探やＧＰＳ等の釣り情報をリール本体側に装着した無線送受信部で受信して、これをリール本体の表示器に表示させる魚釣用リールが提案されている。
【０００４】
而して、この魚釣用リールによれば、釣人は魚探で得られた魚の棚位置やＧＰＳで得られた現在位置等を表示器を介して迅速に把握することが可能となる。
【特許文献１】特開２００３−１１１号公報
【発明の開示】
【発明が解決しようとする課題】
【０００５】
しかし乍ら、特許文献１に開示された魚釣用リールは、釣船側から送信された釣り情報を受信する無線送受信部とこれを制御する通信制御部を、表示装置のカウンターケースの左側部から外方へ大きく突出させて取り付けているため、リール全体が大型，重量化して魚釣り操作性や携帯性に劣る欠点があった。
また、斯様に無線送受信部をカウンターケースの左側部から外方へ大きく突出させているため、実釣時や釣場の移動時に無線送受信部が外力や浸水の影響を受け易く、受信機能に支障を来し易いといった課題も残されていた。
【０００６】
本発明は斯かる実情に鑑み案出されたもので、リール全体の大型，重量化を防止しつつ、外部から送信される釣り情報を釣人にタイムリーに提供可能とした魚釣用リールの給電コードを提供することを目的とする。
【課題を解決するための手段】
【０００７】
斯かる目的を達成するため、請求項１に係る発明は、リール本体の給電接続部に接続され、リール本体に装着した駆動部に給電する魚釣用リールの給電コードであって、外部から送信された釣り情報を受信してリール本体側に伝送する受信伝送部が一体的に設けられていることを特徴とする。
【発明の効果】
【０００８】
請求項１に係る発明によれば、給電コードに受信伝送部を装着してリール本体と切り離した構成を採用したので、従来例に比しリール全体の小型，軽量化が可能となり、魚釣り操作性と携帯性が一段と向上することとなった。
而も、給電コードは実釣時に船上の船縁等に配置されて実用されることがないため、海水や異物等の付着や外力の影響を受け難く、受信伝送機能に支障を来す危険が回避できる利点を有する。
【０００９】
更に、受信伝送部を給電コードに一体的に設けることで、部品としての有効活用が図られて邪魔なコードを増やすことがないし、本発明の給電コードと通常の給電コードの交換で、多機能タイプ（給電機能と釣り情報伝送機能）と通常タイプ（給電機能）の両方の選択使用が可能となる。
そして、請求項２に係る発明によれば、小型，軽量化が図られた魚釣用リールの表示器に釣り情報が表示されるため、リール全体の良好な保持状態の維持を図り乍ら、表示器を見て釣場の状況にあった仕掛けの繰出しや巻取り操作を容易に行える利点を有する。
【発明を実施するための最良の形態】
【００１０】
以下、本発明の実施形態を図面に基づいて詳細に説明する。
図１及び図２は請求項１の一実施形態に係る給電コードとこの給電コードを接続した魚釣用電動リール（以下、「電動リール」という）を示し、図１に於て、１はリール本体３のフレーム、５，７は当該フレーム１の左右に取り付く側板で、両側板５，７間にスプール軸が支持部に支持され、当該スプール軸にスプール９が回転可能に支持されている。
【００１１】
スプール９は、スプール駆動モータ（図２中、符号１１）の駆動やハンドル１３の巻取り操作で回転して釣糸が巻回されるようになっており、スプール駆動モータ１１はスプール９前方のフレーム１に一体成形されたモータケース内に収納されている。
そして、ハンドル側の側板７の上部前方には、特許第２９７７９７８号公報で開示された電動リールと同様、スプール駆動モータ１１のモータ出力を調節するレバー形状のモータ出力調節体（以下、「パワーレバー」という）１５がハンドル１３と同方向へ回転操作可能に取り付けられており、当該パワーレバー１５の操作で、制御ボックス１７内に装着した図３のマイクロコンピュータ（制御手段）１９が、モータ駆動回路２１を介してスプール駆動モータ１１のモータ出力をモータ停止状態から高出力値まで連続的に増減して、スプール９の巻取り速度を制御するようになっている。
【００１２】
また、図１に示すようにスプール９後方の側板５，７間には、側板７内に装着したクラッチ機構を操作するクラッチレバー２３が下方向へ押圧操作可能に取り付けられており、当該クラッチレバー２３の押圧操作で、クラッチ機構がクラッチＯＮからクラッチＯＦＦに切り換わるようになっている。
そして、このクラッチＯＦＦ状態でハンドル１３を巻取り方向へ回転させると、図示しない従来周知の復帰機構を介してクラッチ機構がクラッチＯＮ状態に復帰するように構成されており、このクラッチ機構のクラッチＯＮ／ＯＦＦの切換えでスプール９が釣糸巻取り状態と釣糸繰出し状態とに切り換わって、スプール９へのスプール駆動モータ１１やハンドル１３の動力が伝達／遮断されるようになっている。
【００１３】
一方、図１中、２５はスプール９の回転数とその回転方向を検出する回転検出手段で、回転検出手段２５は、フレーム１に装着された一対のリードスイッチ２７と、これに対向してスプール９の一端側周縁部に固着された複数のマグネット２９とで構成されており、リードスイッチ２７はマイクロコンピュータ１９のＣＰＵに接続されている。
而して、ＣＰＵは、後述する「実釣モード」と「釣り情報表示モード」に於て、特開平５−１０３５６７号公報で開示された魚釣用リールの糸長計測プログラムと同様、リードスイッチ２７から出力されるスプール９の正転，逆転の判定信号を取り込んで釣糸の繰出しか巻取りかを判定すると共に、リードスイッチ２７から取り込むスプール９の回転パルス信号をカウントして、この計数値を基にマイクロコンピュータ１９のＲＯＭに記憶された糸長計算式を演算実行するようになっている。
【００１４】
そして、図２に示すようにＣＰＵは、表示駆動回路３１を介してその演算結果（糸長）を制御ボックス１７の操作パネル３３上に設けた表示器３５に表示させるが、表示器３５はドットマトリックス方式のカラーＴＦＴ液晶ディスプレイで構成されている。そして、図４に示すように「実釣モード」に於て、表示器３５の中央の上カラ表示部３７と棚カラ表示部３９に、夫々、水面からの仕掛けの水深と棚からの仕掛けの距離が上下２段に並列して大きく表示され、表示器３５の左下のモード表示部４１に現在のモード名「実釣」が表示されるようになっている。
【００１５】
尚、「実釣モード」とは、実釣時の釣糸の繰出しやハンドル１３，パワーレバー１５の操作による釣糸の巻取りに伴い、糸長が計測されて図４の如く計測値が表示器３５に表示される通常の魚釣りモードである。
ここで、棚位置の設定について説明すると、上述したようにＣＰＵは、「実釣モード」に於て、リードスイッチ２７からの回転パルス信号を基に糸長を計測して上カラ表示部３７に表示させるが、図１に示すように表示器３５に隣接してハンドル１３側の操作パネル３３上にリセットスイッチ４３と棚メモスイッチ４５が設けられると共に、反ハンドル側の操作パネル３３上モードスイッチ４７が設けられており、図３に示すようにこれらはマイクロコンピュータ１９に接続されている。
【００１６】
そして、実釣の開始時に釣糸が竿先から水面まで繰り出された処で釣人がリセットスイッチ４３を操作すると、上カラ表示部３７の表示値が「０．０」にリセットされるようになっている。
この後、釣人が釣糸を繰り出していくと、ＣＰＵで演算，計測された糸長が上カラ表示部３７に表示され、釣糸が例えば９５．５ｍ繰り出された処で釣人が棚メモスイッチ４５を操作すると、棚カラ表示部３９に「０．０」が表示されて棚位置が設定され、以後、図４に示すように棚位置から例えば１５ｍの釣糸の巻取りに伴う仕掛けの距離と水面からの繰出し量（水深）が、夫々、棚カラ表示部３９と上カラ表示部３７に表示されるようになっている。
【００１７】
一方、図２に示すようにリール全体の保持性を向上させるため、電動リール４９には下方へ突出する突出部５１が反ハンドル側の側板５の下部に設けられている。
そして、突出部５１の底部に、給電コード５３が接続自在なレセプタクル（給電接続部）５５が装着されており、レセプタクル５５に本実施形態に係る給電コード５３のコネクタ５７を接続して、給電コード５３の鰐口クリップ５９，６１を図示しないバッテリ（外部電源）に接続すると、給電されてスプール駆動モータ１１が駆動可能になると共に、マイクロコンピュータ１９はこの初期通電状態で「実釣モード」となる。そして、この「実釣モード」で既述したモードスイッチ４７を操作すると、図５に示すようにマイクロコンピュータ１９は「実釣モード」から「魚釣り情報表示モード」に切り換わり、以後、モードスイッチ４７の操作に応じ、マイクロコンピュータ１９は「実釣モード」と「魚釣り情報表示モード」に交互に切り換わるようになっている。
【００１８】
尚、図２中、６３はコネクタ５７の外周に刻設したねじ部に相対回転可能、且つ長手方向に移動可能に螺合する締付具で、当該締付具６３がレセプタクル５５の外周に設けられたねじ部に螺合して、レセプタクル５５に接続したコネクタ５７の脱落防止を図るようになっている。
次に、「魚釣り情報表示モード」について説明すると、図３に示すように釣人が乗船する釣船６５には、魚探６７と、ＧＰＳ衛星６９からの電波を受信するＧＰＳ受信機７１が艤装されている。そして、ＧＰＳ受信機７１が魚探６７に接続されてＧＰＳ情報が魚探６７上で確認できるようになっているが、更に釣船６５には送信機７３が装備され、当該送信機７３に魚探６７が接続されている。
【００１９】
そして、送信機７３内にはマイクロコンピュータ７５が組み込まれており、送信機７３は、マイクロコンピュータ７５で処理した魚探６７やＧＰＳ衛星６９の釣り情報を無線で外部に送信するようになっている。
一方、図２に示すように給電コード５３には、コネクタ５７側にボックス状のケーシング７７が取り付き、当該ケーシング７７内に、釣船６５から送信された釣り情報の電波を受信して、これを電動リール４９側へ伝送する受信伝送部（図３中、符号７９）が収容されている。
【００２０】
而して、給電コード５３は、図示しない絶縁被覆材で導電線が被覆された電力供給線としての２本の±のリード線８１，８３が、鰐口クリップ５９，６１側の先端を除き外皮８５で覆われて、リード線８１，８３の一端側に既述したコネクタ５７が取り付き、他端側に２つの鰐口クリップ５９，６１が取り付けられているが、更に上記受信伝送部７９とコネクタ５７との間に、絶縁被覆材で被覆された３本の情報通信線（図３中、符号８７，８９，９１）がリード線８１，８３と共に外皮８５で覆われて配線されている。
【００２１】
そして、図６及び図７に示すように電動リール４９のレセプタクル５５内には、＋端子９３と−端子９５に加え３本の接続端子９７，９９，１０１が配設され、他方、図８に示すように給電コード５３のコネクタ５７には、＋端子９３と−端子９５が挿入される接続孔１０３，１０５と共に、接続端子９７，９９，１０１に対応して３個の接続孔１０７，１０９，１１１が設けられており、接続孔１０３，１０５に、夫々、リード線８１，８３が接続し、３個の接続孔１０７，１０９，１１１に、夫々、３本の情報通信線８７，８９，９１が接続可能となっている。
【００２２】
従って、コネクタ５７を介して給電コード５３をレセプタクル５５に接続すると、受信伝送部７９と電動リール４９のマイクロコンピュータ１９が３本の情報通信線８７，８９，９１を介して電気的に接続されることとなる。
尚、上述したように本実施形態の給電コード５３は、３本の情報通信線８７，８９，９１をリード線８１，８３と共に外皮８５に内装したが、斯かる情報通信線８７，８９，９１に代え、電力供給線を使用し、釣り情報をこれに重畳して伝送させるように給電コードを構成してもよく、この給電コードによれば、既述した３本の接続端子９７，９９，１０１と３個の接続孔１０７，１０９，１１１が不要となる。
【００２３】
而して、斯様に構成された本実施形態の給電コード５３を電動リール４９に接続すると、既述したようにマイクロコンピュータ１９はこの初期通電状態で「実釣モード」となる。
そして、この「実釣モード」でモードスイッチ４７を操作して、図５の如くマイクロコンピュータ１９を「実釣モード」から「魚釣り情報表示モード」に切り換えると、図９に示すようにＣＰＵは、表示駆動回路３１を介して表示器３５の中央を魚探情報表示部１１３として、当該魚探情報表示部１１３上に、受信伝送部７９で受信されて情報通信線８７，８９，９１により伝送された釣船６５からの魚探情報を表示させると共に、モード表示部４１に現在のモード名「情報表示」を表示させるようになっている。
【００２４】
而して、魚探情報表示部１１３には、釣人が乗っている釣船６５の位置がポインタ１１５で表示され、更にポインタ１１７，１１９によって糸長計測で得られた仕掛けの位置と魚探６７で得られた魚群の位置が表示されると共に、海底の地形１２１や設定された棚位置１２３が実線や破線で表示され、更にまた、それらの水深がポインタ１１７，１１９と棚位置１２３の近接に表示されるようになっている。
【００２５】
更に図９に示すようにＣＰＵは、上述した魚探情報表示部１１３の表示と同時に、表示器３５の右側上部を新たに上カラ表示部３７-1と棚カラ表示部３９-1として、これらに仕掛けの水面からの水深と仕掛けの棚からの距離を上下２段に小さく表示させると共に、表示器３５の左側上部をＧＰＳ情報表示部１２５として、当該ＧＰＳ情報表示部１２５に、ＧＰＳ情報として日付と時刻，釣船６５の現在位置（経度と緯度）を表示させるようになっている。
【００２６】
そして、釣人がモードスイッチ４７を操作して「魚釣り情報表示モード」から「実釣モード」に切り換えると、マイクロコンピュータ１９は表示器３５を図４の表示状態に切り換えるようになっている。
また、例えば釣船６５にＧＰＳが装備されていない場合には、上記ＧＰＳ情報表示部１２５に情報が表示されない構造となっている。
【００２７】
更に、給電機能と釣り情報伝送機能を持った本実施形態の給電コード５３に代え、給電機能のみを持った通常の給電コードを接続する場合には、図示しないアダプタを別途用いてこれを電動リール４９に接続すれば、「実釣モード」での魚釣りが可能で、給電コードの使い分けで両方の選択使用が可能である。
一方、通常の給電コードのコネクタに、＋端子９３と−端子９５の接続孔と、接続端子９７，９９，１０１に対応して３個の単なる挿入孔を設けておけば、アダプタを別途用いる必要がない。
【００２８】
本実施形態に係る給電コード５３はこのように構成されているから、給電コード５３を電動リール４９に接続すると、マイクロコンピュータ１９はこの初期通電状態で「実釣モード」となって、実釣時の釣糸の繰出しやハンドル１３，パワーレバー１５の操作による釣糸の巻取りに伴い、糸長が計測されて図４の如く計測値が表示器３５の上カラ表示部３７と棚カラ表示部３９に表示される。
【００２９】
一方、釣船６５の送信機７３からは、マイクロコンピュータ７５で処理した魚探６７やＧＰＳ衛星６９の釣り情報が常時無線で外部に送信されており、受信伝送部７９では斯かる釣り情報を受信して電動リール４９のマイクロコンピュータ１９に伝送している。
このため、釣人がモードスイッチ４７を操作してマイクロコンピュータ１９を「魚釣り情報表示モード」に切り換えると、表示器３５が図９の表示状態に切り換わって、図示するようにマイクロコンピュータ１９のＣＰＵは、魚探６７の釣り情報を基に、表示器３５の魚探情報表示部１１３にポインタ１１５で釣船６５の位置を、ポインタ１１７，１１９で仕掛けの位置と魚群の位置を表示し、更に、設定された棚位置１２３を破線で表示させると共に、それらの水深を各ポインタ１１７，１１９と棚位置１２３の近接に表示し、魚探６７で得られた海底の地形１２１を表示する。
【００３０】
更にＣＰＵは、斯かる魚探情報表示部１１３での表示と同時に、表示器３５の右側上部を新たに上カラ表示部３７-1と棚カラ表示部３９-1として、これらに仕掛けの水面からの水深と仕掛けの棚からの距離を上下２段に小さく表示し、表示器３５の左側上部をＧＰＳ情報表示部１２５として、当該ＧＰＳ情報表示部１２５にＧＰＳ情報として日付と時刻，釣船６５の現在位置を表示させる。
【００３１】
そして、釣人がモードスイッチ４７を操作して「魚釣り情報表示モード」から「実釣モード」に切り換えると、表示器３５は図４の表示状態に切り換わり、電動リール４９から給電コード５３を取り外せば、電動リール４９への釣り情報の伝送がし停止することとなる。
このように本実施形態は、特許文献１に開示された従来例と異なり、給電コード５３に受信伝送部７９を装着してリール本体３と切り離した構成を採用したので、斯かる従来例に比しリール全体の小型，軽量化が可能となり、魚釣り操作性と携帯性が一段と向上することとなった。
【００３２】
而も、給電コード５３は実釣時に船上の船縁等に配置されて実用されることがないため、受信伝送部７９を収容したケーシング７７に海水や異物等が付着することがなく、また、外力の影響を受け難いことも相俟って、受信伝送機能に支障を来す危険が回避できる利点を有する。
更に本実施形態によれば、受信伝送部７９を給電コード５３に一体的に設けることで、部品としての有効活用が図られて邪魔なコードを増やすことがないし、既述したように給電コード５３と通常の給電コードのみの交換で、多機能タイプ（給電機能と釣り情報伝送機能）と通常タイプ（給電機能）の両方の選択使用が可能となる。
【００３３】
そして、小型，軽量化が図られた電動リール４９の表示器３５に釣り情報が表示されるため、リール全体の良好な保持状態の維持を図り乍ら、表示器３５を見て釣場の状況にあった仕掛けの繰出しや巻取り操作を容易に行える利点を有する。
尚、本実施形態に係る給電コード５３は、電動リール４９のスプール駆動モータ１１に給電するものであるが、魚釣用リールに装着される駆動部として、スプール駆動モータ１１の他に、例えば手動専用リールのクラッチ機構をＯＮ／ＯＦＦさせるクラッチ作動モータやソレノイド等があり、本発明の給電コードはスプール駆動モータに給電するものに限定されず、このようなクラッチ作動モータやソレノイドへの給電用のものであってもよい。
【００３４】
また、上記実施形態では、釣り情報を電動リール４９の表示器３５のみに表示させたが、既述したケーシング７７に表示器を設けると共に、ケーシング７７内にマイクロコンピュータと表示駆動回路を収容して、ケーシング側の表示器にも、或いはまた、ケーシング側の表示器にのみ受信した釣り情報を表示させてもよく、これらの各実施形態によっても、図１の実施形態と同様、所期の目的を達成することが可能である。
【００３５】
更にまた、既述したように給電コード５３の３本の情報通信線８７，８９，９１に代え、電力供給線を使用し、釣り情報をこれに重畳して伝送させるように給電コードを構成してもよい。
【図面の簡単な説明】
【００３６】
【図１】請求項１の一実施形態に係る給電コードが接続された電動リールの平面図である。
【図２】請求項１の一実施形態に係る給電コードと当該給電コードが接続された電動リールの側面図である。
【図３】請求項１の一実施形態に係る給電コードと電動リールと釣船側の制御ブロック図である。
【図４】実釣モードに於ける表示器の表示状態の説明図である。
【図５】マイクロコンピュータのモード変化を示すフローチャートである。
【図６】レセプタクルの平面図である。
【図７】図６のVII−VII線断面図である。
【図８】コネクタの平面図である。
【図９】魚釣り情報表示モードに於ける表示器の表示状態の説明図である。
【符号の説明】
【００３７】
３  リール本体
９  スプール
１１  スプール駆動モータ
１３  ハンドル
１５  パワーレバー
１９，７５  マイクロコンピュータ
２３  クラッチレバー
２５  回転検出手段
２７  リードスイッチ
３５  表示器
３７，３７-1  上カラ表示部
３９，３９-1  棚カラ表示部
４１  モード表示部
４３  リセットスイッチ
４５  棚メモスイッチ
４７  モードスイッチ
４９  電動リール
５１  突出部
５３  給電コード
５５  レセプタクル
５７  コネクタ
５９，６１  鰐口クリップ
６５  釣船
６７  魚探
６９  ＧＰＳ衛星
７１  ＧＰＳ受信機
７３  送信機
７７  ケーシング
７９  受信伝送部
８１，８３  リード線
８７，８９，９１  情報通信線
９３  ＋端子
９５  −端子
９７，９９，１０１  接続端子
１０３，１０５，１０７，１０９，１１１  接続孔
１１３  魚探情報表示部
１２５  ＧＰＳ情報表示部
【図１】
2005304375.tif 000003
【図２】
2005304375.tif 000004
【図３】
2005304375.tif 000005
【図４】
2005304375.tif 000006
【図５】
2005304375.tif 000007
【図６】
2005304375.tif 000008
【図７】
2005304375.tif 000009
【図８】
2005304375.tif 000010
【図９】
2005304375.tif 000011